(57)【要約】【課題】複数寸法規格を有するマットレスにおいて、第１寸法規格のマットレスと第２寸法規格のマットレスを相互に変換可能にすること、変換が容易であること、変換のコストを低減すること。【解決手段】マットレスは、第１寸法規格の第１マットレス１と、第１寸法規格よりも大きく設定され、厚さが共通の第２寸法規格を有する第２マットレス２と、を相互に変換可能な直方体形状のマットレスであり、第１マットレス１及び第２マットレス２が幅方向Ｘ、長さ方向Ｙ及び厚み方向Ｚを有し、幅方向付加部材３は第１マットレス１の幅方向Ｘの端部に幅方向Ｘに連結及び分離が可能な直方体形状であり、第１マットレス１の表皮１ｂのうちの天面の表皮１ｃが幅方向Ｘの外側に一対の幅延長部１ｄを有し、幅延長部１ｄの裏面及び幅方向付加部材３の天面に第１連結部材４を有し、第１マットレス１の幅方向Ｘの端部及び幅方向付加部材３の長さ方向Ｙの側面に第２連結部材５を有する。【選択図】  図１
2020069319.tif 000002
【特許請求の範囲】
【請求項１】
第１寸法規格の第１マットレスと、前記第１寸法規格よりも大きく設定され、厚さが共通の第２寸法規格を有する第２マットレスと、を相互に変換可能な直方体形状のマットレスであって、
前記第１マットレス及び第２マットレスが幅方向、長さ方向及び厚み方向を有し、
前記第１マットレスが、マットレス本体及び該マットレス本体を被覆する表皮を備え、
付加本体と該付加本体を被覆する付加表皮を備える、前記第１マットレスの前記幅方向の端部に幅方向に連結及び分離が可能な直方体形状の幅方向付加部材を備え、
前記第１マットレスの天面の表皮が幅方向の外側に幅延長部を有し、該幅延長部の裏面及び前記幅方向付加部材の天面に第１連結部材を有し、
前記第１マットレスの幅方向の端部及び前記幅方向付加部材の長さ方向の側面に第２連結部材を有し、
前記第１連結部材及び第２連結部材が面ファスナー又は線ファスナーであり、
前記第１連結部材と第２連結部材を連結することにより第１マットレスとなり、前記第１マットレスの幅方向の端部に、前記第１連結部材と第２連結部材の連結により該幅方向付加部材を付加することにより第２マットレスとなるマットレス。
【請求項２】
前記第１マットレスの前記長さ方向の端部に長さ方向に連結及び分離が可能な直方体形状の長さ方向付加部材を備え、
前記第１マットレスの天面の表皮が長さ方向の外側に長さ延長部を有し、該長さ延長部の裏面及び前記長さ方向付加部材の天面に第３連結部材を有し、
前記第１マットレスの長さ方向の端部及び前記長さ方向付加部材の長さ方向の側面に第４連結部材を有し、
前記第３連結部材及び第４連結部材が面ファスナー又は線ファスナーであり、
前記第３連結部材と第４連結部材を連結することにより第１マットレスとなり、前記第１マットレスの幅方向の端部に、前記第３連結部材と第４連結部材の連結により前記長さ方向付加部材を付加することにより第２マットレスとなるマットレス。
【請求項３】
前記幅方向付加部材と長さ方向付加部材の端部に連結及び分離するコーナー部と、前記幅方向付加部材、長さ方向付加部材及びコーナー部に設ける第５連結部材を備える請求項２のマットレス。
【発明の詳細な説明】
【技術分野】
【０００１】
本発明は、マットレス、特に、医療用のマットレスに関するものである。本発明は、マットレス本体とその上に被せる表皮によりなる、分離及び連結可能なマットレス（布団は除く。）である。本発明の適用対象は、三次元網状構造体製マットレス、ウレタン製マットレス、エアマットレス、及びウォーターマットレス、ポリエステル綿製のマットレスも含む。
【背景技術】
【０００２】
特許文献１は、所望のサイズの大きさにできる連結及び分離可能なワイド敷布団及びそれを含むワイド寝具セットを提供し、布団の収納の場合にも、広い場所を一か所に確保する必要がなく、更に布団の収納や布団干しの際の労力の軽減を図ることができるようにするため、面ファスナー（面ファスナー（登録商標）ファスナー等）を装着し、敷きパッド裏面側の四隅に敷きマットへの固定バンドを装着し、複数枚の敷きマットを面ファスナーにて連結し、連結された敷きマットの四隅に、敷きパッドの固定バンドを掛けて固定することを特徴とするワイド敷き布団としたものである。
【０００３】
特許文献２は、連続的に結合したセル列の上面及び下面を水平面とすることができ、かつセル単位での着脱を可能とし、快適性、製造コスト、運搬コスト並びに省エネに貢献できるマットレスを実現するため、断面が略平行四辺形である複数個の筒状セルの長手方向の斜面を相互に接触結合させ、連続した筒状セルの上面及び下面を水平面としたマットレスにおいて、筒状セルを中空部材で形成し、その中空部の一部に、伸縮性のある充填材を挿入ことを特徴とするマットレスである。
【先行技術文献】
【特許文献】
【０００４】
【特許文献１】特開２０００−３０８５４６号公報
【特許文献２】特開２００４−３３３２９号公報
【発明の概要】
【発明が解決しようとする課題】
【０００５】
本発明は、上記課題を解決しようとするもので、複数寸法規格を有するマットレスにおいて、第１寸法規格のマットレスと第２寸法規格のマットレスを相互に変換可能にすること、変換が容易であること、変換のコストを低減すること、レンタル業者などの在庫コストを低減することを目的とする。
【課題を解決するための手段】
【０００６】
上記課題を解決するため、本発明は、第１寸法規格の第１マットレスと、前記第１寸法規格よりも大きく設定され、厚さが共通の第２寸法規格を有する第２マットレスと、を相互に変換可能な直方体形状のマットレスであって、前記第１マットレス及び第２マットレスが幅方向、長さ方向及び厚み方向を有し、前記第１マットレスが、マットレス本体及び該マットレス本体を被覆する表皮を備え、付加本体と該付加本体を被覆する付加表皮を備える、前記第１マットレスの前記幅方向の端部に幅方向に連結及び分離が可能な直方体形状の幅方向付加部材を備え、前記第１マットレスの天面の表皮が幅方向の外側に幅延長部を有し、該幅延長部の裏面及び前記幅方向付加部材の天面に第１連結部材を有し、前記第１マットレスの幅方向の端部及び前記幅方向付加部材の長さ方向の側面に第２連結部材を有し、前記第１連結部材及び第２連結部材が面ファスナー又は線ファスナーであり、前記第１連結部材と第２連結部材を連結することにより第１マットレスとなり、前記第１マットレスの幅方向の端部に、前記第１連結部材と第２連結部材の連結により該幅方向付加部材を付加することにより第２マットレスとなるマットレスである。
【０００７】
「マットレス本体」は、三次元網状構造体製の他に、固綿製、ポリウレタンフォーム製、木材、水、不凍液、空気、コイルスプリング等が挙げられる。三次元網状構造体は複数の面を備え、そのうちの２面、３面、または、４面の表面が圧縮されることが好ましい。
【０００８】
「マットレスを被覆する表皮」は、一般的なものを採用できるが、特殊なものでもよい。例えば、綿製の生地とポリエステル繊維からなるメッシュ状の生地を縫製したもの、ビニール樹脂等が挙げられる。「被覆」とは、マットレス本体の全面を被覆する場合、マットレス本体の上面と側面を被覆し底面は被覆しない場合、外から見える範囲のみを被覆する場合を含む。
【０００９】
「寸法規格」は、公的なもの、私的なものを問わず、マットレスの寸法の定められた標準をいう。
【００１０】
「第１寸法規格」は、例えば、長さ１９１ｃｍ、幅８３ｃｎ、厚み８ｃｍが挙げられるが限定されるわけではない。
【００１１】
「第２寸法規格」は、例えば、長さ１９１ｃｍ、幅９１ｃｍ、厚み８ｃｍが挙げられるが限定されるわけではない。長さも異なる規格は、例えば、第１寸法規格が長１９１ｃｍ、第２寸法規格が１９４ｃｍである。
【００１２】
「相互に変換可能」とは、第１マットレスと第２マットレスの寸法を相互に可変とする趣旨である。ベッドフレームとマットレスの間に数センチの隙間があると、その隙間に手、足が入るので、安全性を確保するためである。
【００１３】
「第１マットレス」、「第２マットレス」は一般的な解釈による。片側、両端、長さ、機能向上のために厚み（柔らかいタイプを重ねる）場合がある。一般用の場合  伸縮の必要がない場合もある。介護、医療の用途が主である。
【００１４】
「幅方向付加部材」の材質は「マットレス本体」と同様な材質を採用することが可能であるが、同じ材質でも相違する材質でもいずれも可能である。
【００１５】
「付加表皮」の材質は、「マットレス本体の表皮」で挙げた材質と同様の材質を採用することが可能であるが、同じ材質でも相違する材質でも、いずれも可能である。外観を重視する観点からは同じ材質が好ましい。
【００１６】
「被覆」とは、マットレス本体の全部又は一部を被覆することである。一部を被覆する例として、マットレス本体の上面と側面を被覆し底面は被覆しないことが挙げられる。
【００１７】
「幅延長部」の材質や厚みは、美観の関係上、「表皮」と同様の材質や厚みが好ましいが、異なっていてもよい。
【００１８】
「第２マットレスとなる」とは、表皮の表面の凹凸も考慮すると、完全な寸法一致の他、外観での寸法一致も含み、誤差は許容される。
【００１９】
「第１連結部材及び第２連結部材」は、面ファスナー又は線ファスナーの他、カバー、インナーカバーでもよい。線ファスナーは曲がった時の強度や皺を考慮し、線ファスナーが接続していないとき、線ファスナーが使用者を傷つけないように安全性に配慮する。
【００２０】
本発明は、前記第１マットレスの前記長さ方向の端部に長さ方向に連結及び分離が可能な直方体形状の長さ方向付加部材を備え、前記第１マットレスの天面の表皮が長さ方向の外側に長さ延長部を有し、該長さ延長部の裏面及び前記長さ方向付加部材の天面に第３連結部材を有し、前記第１マットレスの長さ方向の端部及び前記長さ方向付加部材の長さ方向の側面に第４連結部材を有し、前記第３連結部材及び第４連結部材が面ファスナー又は線ファスナーであり、前記第３連結部材と第４連結部材を連結することにより第１マットレスとなり、前記第１マットレスの幅方向の端部に、前記第３連結部材と第４連結部材の連結により前記長さ方向付加部材を付加することにより第２マットレスとなるマットレスである。
【００２１】
「長さ方向付加部材」及び「長さ延長部」は、「幅方向付加部材」及び「幅延長部」の解釈に準じる。
【００２２】
「第３連結部材」、「第４連結部材」は、前記第１連結部材及び第２連結部材の解釈に準じる。「第２マットレスの長さ寸法と合致させる」は「第２マットレスの幅寸法と合致させる」の解釈と同様である。
【００２３】
「三次元網状構造体」は、連続線条が部分的にランダムに溶着することによりループを形成し、押出方向に対応する縦方向、前記押出方向と直交する横方向と厚み方向を有する、ポリエチレン系熱可塑性樹脂、ポリプロピレン系熱可塑樹脂、ポリエステル系熱可塑性エラストマー、又はポリエチレン系熱可塑性樹脂とポリエチレン系熱可塑エラストマーの混合物等からなるマットレスである。「マットレス本体」と「付加本体」の材質は同じであることが好ましいが、違っていてもよい。
【００２４】
前記幅方向付加部材と長さ方向付加部材の端部に連結及び分離するコーナー部と、前記幅方向付加部材、長さ方向付加部材及びコーナー部に設ける第５連結部材を備えるマットレスである。
【００２５】
前記マットレス本体の見掛け密度が、０．０２５ｇ／ｃｍ3〜０．２ｇ／ｃｍ3線径が直径０．１ｍｍ〜１．２ｍｍが例示される。
【発明の効果】
【００２６】
本発明は、複数寸法規格を有するマットレスにおいて、第１寸法規格のマットレスと第２寸法規格のマットレスを相互に変換可能にすること、変換が容易であること、変換のコストを低減することができる。第２マットレスの在庫を持つ必要がなくなるので、コスト削減効果がある。
【図面の簡単な説明】
【００２７】
【図１】本発明実施形態１の第１マットレスを示す正面図である。
【図２】本発明実施形態１の第１マットレスに幅方向付加部材を連結する様子を示す正面図である。
【図３】本発明実施形態１の第２マットレスを示す正面図である。
【図４】本発明実施形態１の第２マットレスの組み付け前の状態を示す、第１マットレスと幅方向付加部材の平面図である。
【図５】本発明実施形態１のマットレス本体の斜視図である。
【図６】本発明実施形態１の幅方向付加部材の斜視図である。
【図７】本発明実施形態１の第２マットレスの組み付け前の第１マットレスと幅方向付加部材の部分正面図である。
【図８】本発明実施形態１の変更形態の第２マットレスの組み付け前の第１マットレスと幅方向付加部材の変更形態の部分正面図である。
【図９】本発明実施形態２の第２マットレスの組み付け前の状態を示す、第１マットレスと幅方向付加部材及び長さ方向付加部材の平面図である。
【図１０】本発明実施形態２の第１マットレスを示す側面図である。
【図１１】本発明実施形態２の第１マットレスに長さ方向付加部材を連結する様子を示す側面図である。
【図１２】本発明実施形態２の第２マットレスを示す側面図である。
【発明を実施するための形態】
【００２８】
本発明の実施形態１のマットレスについて説明する。マットレスは、第１寸法規格の第１マットレス１と、第１寸法規格よりも大きく設定され、厚さが共通の第２寸法規格を有する第２マットレス２と、を相互に変換可能な直方体形状のマットレスである。第１寸法規格は幅１９１ｃｍ、長さ８３ｃｍ、厚み８ｃｍである。第２寸法規格は幅１９１ｃｍ、長さ９１ｃｍ、厚み８ｃｍである。
【００２９】
第１マットレス１及び第２マットレス２が幅方向Ｘ、長さ方向Ｙ及び厚み方向Ｚを有する。第１マットレス１が、マットレス本体１ａ（図５参照）と、マットレス本体１ａを被覆する表皮１ｂを備える。幅方向付加部材３は、幅付加本体３ａ（図６参照）と、幅付加本体３ａを被覆する付加表皮３ｂを備え、第１マットレス１の幅方向Ｘの端部に幅方向Ｘに連結及び分離が可能な直方体形状である。
【００３０】
第１マットレス１の表皮１ｂのうちの天面の表皮１ｃが幅方向Ｘの外側に一対の幅延長部１ｄ（一対でなく、１つでもよい。）を有する。幅延長部１ｄの裏面及び幅方向付加部材３の天面に第１連結部材４を有する。第１マットレス１の幅方向Ｘの端部及び幅方向付加部材３の長さ方向Ｙの側面に第２連結部材５を有する。
【００３１】
第１連結部材４及び第２連結部材５が面ファスナーである。図５に示す通り、第２連結部材５が線ファスナー５’であってもよい。
【００３２】
第１連結部材４と第２連結部材５を連結することにより第１マットレス１となる。第１マットレス１の幅方向Ｘの端部に、第１連結部材４と第２連結部材５の連結により幅方向付加部材３を付加することにより第２マットレス２となる。これにより、幅方向付加部材３を第１マットレス１の幅方向Ｘの端部に連結することにより、第２マットレス２の幅寸法と合致させることができる。
【００３３】
第１マットレス１の製造方法について説明する。三次元網状構造体であるマットレス本体１ａ及び幅付加本体３ａを製造する。マットレス本体１ａ及び幅付加本体３ａを表皮１ｂと付加表皮３ｂとでそれぞれ被覆する。表皮１ｂには幅延長部１ｄを設ける。面ファスナーである第１連結部材４を幅延長部１ｄの裏面と幅方向付加部材３の天面に設ける。面ファスナーである第２連結部材５を第１マットレス１の幅方向側面と幅付加部材の側面に設ける。
【００３４】
第１マットレス１の使用方法を説明する。図１〜図３に示す通り、幅延長部１ｄを水平に広げ、その下の幅方向付加部材３を配置し、第１連結部材４及び第２連結部材５により、幅方向付加部材３を第１マットレス１の幅方向Ｘの端部に連結し、第２マットレス２とする。第２マットレスを第１マットレスにするには、前記手順の逆を行えばよい。
【００３５】
次に第２実施形態のマットレスについて図９〜図１２を参照して説明する。部品番号は２００番台とし、第１実施形態に対応する番号に１００を付加し、図示及び説明は援用する。このマットレスは第１マットレス２０１の長さ方向Ｙに追加の構成を加えたものである。即ち、第１マットレス２０１の長さ方向Ｙの端部に長さ方向に連結及び分離が可能な直方体形状の長さ方向付加部材２０６を備えている。
【００３６】
第１マットレス２０１の表皮２０１ｂのうち天面の表皮２０１ｃが長さ方向Ｙの外側に長さ延長部２０１ｅを有している。長さ延長部２０１ｅの裏面及び長さ方向付加部材２０６の天面に第３連結部材２０７を有する。第１マットレス２０１の長さ方向Ｙの端部及び長さ方向付加部材２０６の長さ方向Ｙの側面に第４連結部材２０８を有する。第３連結部材２０７及び第４連結部材２０８が面ファスナーである。
【００３７】
第３連結部材２０７と第４連結部材２０８を連結することにより第１マットレス１０１となる。第１マットレス１０１の幅方向Ｘの端部に、第３連結部材２０７と第４連結部材２０８の連結により長さ方向付加部材２０６を付加することにより第２マットレス２０２となる。これにより、長さ方向付加部材２０６を第１マットレス１０１の長さ方向Ｙの端部に連結することにより、第２マットレス２の長さ寸法と合致させることができる。
【００３８】
幅方向付加部材２０３と長さ方向付加部材２０６の端部に連結及び分離するコーナー部２０９と、幅方向付加部材２０３、長さ方向付加部材２０６及びコーナー部２０９に設ける第５連結部材２１０を備える。
【００３９】
第２実施形態のマットレスの製造方法について説明する。三次元網状構造体であるマットレス本体２０１ａ、長さ付加本体２０６ａ（番号図示略：材質及び構造は図５及び図６と同様。）を製造する。マットレス本体２０１ａ及び長さ付加本体２０６ａを表皮２０１ｂ及び表皮２０６ｂで被覆し、第１マットレス２０１、長さ方向付加部材２０６とする。表皮２０１ｂには長さ延長部２０１ｅを設ける。面ファスナーである第３連結部材２０７を長さ延長部２０１ｅの裏面と幅方向付加部材２０３の天面にそれぞれ設ける。面ファスナーである第４連結部材２０８を第１マットレス２０１の長さ方向側面と、長さ方向付加部材２０６の側面に設ける。
【００４０】
第１マットレス１の使用方法を説明する。図１〜図３に示す通り、幅延長部１ｄを水平に広げ、その下の幅方向付加部材３を配置し、第１連結部材４及び第２連結部材５により、幅方向付加部材３をマットレス１の幅方向Ｘの端部に連結し、第２マットレス２とする。第２マットレスを第１マットレスにするには、前記手順の逆を行えばよい。
【００４１】
なお、本発明は、上述の実施の形態に限定されず、本発明の技術的思想を逸脱しない範囲で、様々な改変、置換、欠失等を行うことが出来、改変、均等、置換、欠失等も本発明の技術的範囲に含まれる。例えば、三次元網状構造体に代えて、ウレタン、水、空気とすることも可能である。マットレス本体１，２０１の厚みは、該マットレス本体の上に柔らかいマットレス本体を重ねて、厚くし、体圧分散をよくし褥瘡予防することもある。重ねるマットレスは、ポリエチ、ポリエステル、ポリプロピレン（PP）共重合タイプなどがある。表皮１ｂ、２０１ｂについては、図１〜図１２で図示したもののほか、例えば、８３ｃｍの表皮に入っていたマットレス本体を取り出し、寸法の大きな９１ｃｍ幅のカバーに入れ替えることもある。インナーカバーをつけてもよい。表皮の在庫が２種類になるため、多少、複雑になる。医療の世界ではファスナーの硬い部分が体に当たると皮膚にダメージをあたえるおそれがあるので、ファスナーの構造を変更した者でもよい。図１〜図１２では、連結部材の構造については、（１）面ファスナーをすべて採用したもの、（２）面ファスナーと線ファスナーの組み合わせの２種類を開示したが、（４）線ファスナーをすべて採用したものとしてもよい。
【産業上の利用可能性】
【００４２】
本発明は一般家庭、医療機関、輸送、建築等で用いられるマットレスに利用できる。
【符号の説明】
【００４３】
１        第１マットレス
１ａ      マットレス本体
１ｂ      表皮
１ｃ      表皮
１ｄ      幅延長部
２        第２マットレス
３        幅方向付加部材
３ａ      幅付加本体
３ｂ      付加表皮
４        第１連結部材
５        第２連結部材
５'      線ファスナー
１０１    第１マットレス
２０１    第１マットレス
２０１ａ  マットレス本体
２０１ｂ  表皮
２０１ｃ  表皮
２０１ｅ  長さ延長部
２０２    第２マットレス
２０３    幅方向付加部材
２０６    長さ方向付加部材
２０６ａ  長さ付加本体
２０７    第３連結部材
２０８    第４連結部材
２０９    コーナー部
２１０    第５連結部材
Ｘ        幅方向
Ｙ        長さ方向
Ｚ        厚み方向
【図１】
2020069319.tif 000003
【図２】
2020069319.tif 000004
【図３】
2020069319.tif 000005
【図４】
2020069319.tif 000006
【図５】
2020069319.tif 000007
【図６】
2020069319.tif 000008
【図７】
2020069319.tif 000009
【図８】
2020069319.tif 000010
【図９】
2020069319.tif 000011
【図１０】
2020069319.tif 000012
【図１１】
2020069319.tif 000013
【図１２】
2020069319.tif 000014